(57)【要約】【課題】  両面スキャナの画像信号合成モジュール及び方法の提供。【解決手段】  第１、第２感光装置及びアナログ加算器を提供し、該第１、第２感光装置の出力端をアナログ加算器の出力端に並列に接続し、アナログデジタル変換器を提供し、アナログ加算器の出力端をアナログデジタル変換器の入力端に接続し、スキャナコントローラを提供し、アナログデジタル変換器の出力端を該スキャナコントローラに接続する。スキャナコントローラが第１感光装置駆動信号と第２感光装置駆動信号を第１、第２感光装置に送り、第１感光装置駆動信号と第２感光装置駆動信号により第１、第２感光装置が交替してそれぞれが獲得した画像信号を出力する。並びにアナログ加算器、アナログデジタル変換器を通してスキャナコントローラに送る。【選択図】        図１
2006217154.tif 000002
【特許請求の範囲】
【請求項１】
画像信号合成モジュールにおいて、該画像信号合成モジュールは両面走査の画像信号の合成に用いられ、
第１感光装置及び第２感光装置と、
アナログ加算器であり、該第１感光装置と該第２感光装置の出力端が該アナログ加算器の入力端に並列に接続された、上記アナログ加算器と、
アナログデジタル変換器であり、該アナログ加算器の出力端が該アナログデジタル変換器の入力端に接続された、上記アナログデジタル変換器と、
スキャナコントローラであり、該アナログデジタル変換器の出力端が該スキャナコントローラに接続された、上記スキャナコントローラと、
を具え、走査文献の両側の画像信号がそれぞれ第１感光装置と第２感光装置により獲得され、その後、アナログ加算器、アナログデジタル変換器を通してスキャナコントローラに送られることを特徴とする、画像信号合成モジュール。
【請求項２】
請求項１記載の画像信号合成モジュールにおいて、第１感光装置とアナログ加算器の間に第１抵抗が直列に接続され、第２感光装置とアナログ加算器の間に第２抵抗が直列に接続されたことを特徴とする、画像信号合成モジュール。
【請求項３】
請求項１記載の画像信号合成モジュールにおいて、アナログ加算器が演算増幅器とされたことを特徴とする、画像信号合成モジュール。
【請求項４】
請求項１記載の画像信号合成モジュールにおいて、アナログ加算器が信号合成抵抗とされたことを特徴とする、画像信号合成モジュール。
【請求項５】
画像信号合成方法において、該画像信号合成方法は両面走査の画像信号を合成するのに用いられる方法であり、
第１感光装置と第２感光装置を提供するステップ、
アナログ加算器を提供して該第１感光装置と第２感光装置の出力端を該アナログ加算器の入力端に並列に接続するステップ、
アナログデジタル変換器を提供し、アナログ加算器の出力端をアナログデジタル変換器の入力端に接続するステップ、
スキャナコントローラを提供し、アナログデジタル変換器の出力端を該スキャナコントローラに接続するステップ、
スキャナコントローラより第１感光装置駆動信号を第１感光装置に送り、第２感光装置駆動信号を第２感光装置に送って第１感光装置と第２感光装置を駆動して第１感光装置と第２感光装置に交替して各自が獲得した画素信号を出力させ、並びにアナログ加算器、アナログデジタル変換器を通してスキャナコントローラに送るステップ、
を具えたことを特徴とする、画像信号合成方法。
【請求項６】
請求項５記載の画像信号合成方法において、第１感光装置駆動信号と第２感光装置駆動信号はいずれも第１クロック信号と第２クロック信号を具え、第１感光装置駆動信号の第１クロック信号と第２感光装置駆動信号の第１クロック信号のデューティ−サイクルは一つの伝送サイクルがずれており、第１感光装置駆動信号の第２クロック信号と第２感光装置駆動信号の第２クロック信号のデューティ−サイクルは一つの伝送サイクルがずれていることを特徴とする、画像信号合成方法。
【請求項７】
請求項５記載の画像信号合成方法において、第１感光装置駆動信号と第２感光装置駆動信号はいずれもクロック信号を包含し、第１感光装置がその獲得した全ての画素信号を出力する時、第２感光装置駆動信号のクロック信号は一定電位を保持し、その後、第２感光装置がその獲得した全ての画素信号を出力するとき、第１感光装置駆動信号のクロック信号は一定電位を保持することを特徴とする、画像信号合成方法。
【請求項８】
画像信号合成方法において、該画像信号合成方法は両面走査の画像信号を合成するのに用いられる方法であり、
第１感光装置と第２感光装置を提供するステップ、
アナログ加算器を提供して該第１感光装置と第２感光装置の出力端を該アナログ加算器の入力端に並列に接続するステップ、
アナログデジタル変換器を提供し、アナログ加算器の出力端をアナログデジタル変換器の入力端に接続するステップ、
スキャナコントローラを提供し、アナログデジタル変換器の出力端を該スキャナコントローラに接続するステップ、
スキャナコントローラより第１感光装置駆動信号を第１感光装置に送り、第２感光装置駆動信号を第２感光装置に送り、該第１感光装置駆動信号と第２感光装置駆動信号はいずれもがクロック信号と回復信号を具え、第１感光装置駆動信号の回復信号により第１感光装置駆動信号が第１感光装置を駆動して獲得される画素信号より第１感光装置が特定時間に出力する画素信号を除去し、第２感光装置駆動信号の回復信号により第２感光装置駆動信号が第２感光装置を駆動して獲得される画素信号より第２感光装置が特定時間に出力する画素信号を除去した後、第１感光装置と第２感光装置が出力した画素信号をアナログ加算器、アナログデジタル変換器を通してスキャナコントローラに送るステップ、
を具えたことを特徴とする、画像信号合成方法。
【請求項９】
請求項８記載の画像信号合成方法において、第１感光装置駆動信号の回復信号により第１感光装置が偶数サイクル時間に出力する画素信号を除去し、第２感光装置駆動信号の回復信号により第２感光装置が奇数サイクル時間に出力する画素信号を除去することを特徴とする、画像信号合成方法。
【発明の詳細な説明】
【技術分野】
【０００１】
本発明は一種の画像信号合成モジュール及び方法に係り、特に単一アナログデジタル変換器で二組のイメージセンスアセンブリの出力する画像信号を受信し処理する画像信号合成モジュール及びこれら画像信号の合成方法に関する。
【背景技術】
【０００２】
図１３及び図１４は周知の高速両面スキャナに採用されている技術を示し、それによると、感光装置Ｉと感光装置ＩＩはそれぞれ走査文献両側の画像信号を獲得し、並びに各組の感光装置に対応するアナログデジタル変換器（ＡＤＣ）が組み合わされ、則ち感光装置Ｉにアナログデジタル変換器Ｉ、感光装置ＩＩにアナログデジタル変換器ＩＩが組み合わされ、アナログデジタル変換器Ｉとアナログデジタル変換器ＩＩはそれぞれが独立して感光装置Ｉ及び感光装置ＩＩからのアナログ画像信号ＯＳ（Ｏｐｔｉｃａｌ  Ｓｉｇｎａｌ）を受け取りデジタル信号に変換しスキャナコントローラに送り更なる処理を行なう。この技術で採用される感光装置には、並びにＣＣＤ（電荷結合素子）、ＣＩＳ（コンタクトイメージセンサ）、或いはＣＭＯＳ（相補型金属酸化膜半導体）等が使用される。
【０００３】
そのうち、感光装置は感光装置駆動回路の発生する駆動信号（クロック信号ＰＨｉ１、ＰＨｉ２、回復信号ＲＳ及びクランプ信号ＣＰを包含）の制御の下で、各クロックサイクルＴ内において、画素の画像信号をアナログデジタル変換器に直列出力する。
【０００４】
ただしこのような技術は複雑なスキャナコントローラを採用しなれば同時に二つのアナログデジタル変換器が同一クロックサイクル内に伝送する画像信号を処理できず、このため高速両面スキャナの製造コストを下げることができず、ゆえに普及、応用しにくい。
【０００５】
このほか、現在のスキャナの解析度規格はほとんどが６００ｄｐｉ（ｄｏｔ／ｉｎｃｈ）以上であり、文字等図形の走査に対しては、解析度は３００ｄｐｉもあれば十分である。解析度が６００ｄｐｉのスキャナに関しては、走査される文献上の各１平方英インチ範囲の画像が、ＣＣＤ中のイメージセンスユニットで変換されて出力される時に６００個のクロックサイクルがなければ完全に出力できない。ユーザーが僅かに３００ｄｐｉで画像を走査するだけでく、則ち走査文献の各一側で僅かに６００ｄｐｉの解析度の半分の画素の出力のみでよいなら、則ち両面で３００ｄｐｉの走査画像と片面で６００ｄｐｉの走査画像の出力する画素の画像信号量は等しくなる。ゆえに解析度の要求が比較的低い時は、現在片面スキャナコントローラにより両面走査の機能を達成することが可能となる。
【発明の開示】
【発明が解決しようとする課題】
【０００６】
本発明の主要な目的は、一種の画像信号合成モジュール及び方法を提供することにあり、それは二つの感光装置の画像信号出力を制御し、及びアナログ加算器で二組の画像信号を合成することにより、一つのアナログデジタル変換器と片面スキャナコントローラにより、両面走査を実現できるものとする。
【０００７】
上述の目的を達成するため、本発明は一種の画像信号合成モジュールを提供する。それは、第１感光装置と第２感光装置、アナログ加算器を具え、該第１感光装置と第２感光装置の出力端はアナログ加算器の入力端に並列に接続されている。更にアナログデジタル変換器を具え、上述のアナログ加算器の出力端がこのアナログデジタル変換器の入力端に接続される。及びスキャナコントローラを具え、上述のアナログデジタル変換器の出力端が該スキャナコントローラに接続される。そのうち、走査文献の両側の画像信号はそれぞれ第１感光装置と第２感光装置により獲得され、その後、アナログ加算器、アナログデジタル変換器を通してスキャナコントローラに送られる。
【０００８】
上述の目的を達成するため、本発明は一種の画像信号合成方法を提供し、それは、第１、第２感光装置を提供するステップ、アナログ加算器を提供し、該第１、第２感光装置の出力端をアナログ加算器の出力端に並列に接続するステップ、アナログデジタル変換器を提供し、アナログ加算器の出力端をアナログデジタル変換器の入力端に接続するステップ、スキャナコントローラを提供し、アナログデジタル変換器の出力端を該スキャナコントローラに接続するステップ、スキャナコントローラより第１感光装置駆動信号と第２感光装置駆動信号を第１、第２感光装置に送り、第１感光装置駆動信号と第２感光装置駆動信号により第１、第２感光装置に交替してそれぞれが獲得した画像信号を出力させ、並びにアナログ加算器、アナログデジタル変換器を通してスキャナコントローラに送るステップ、を具えている。
【０００９】
上述の目的を達成するため、本発明は一種の画像信号合成方法を提供し、それは両面走査の画像信号を合成するのに用いられ、第１感光装置と第２感光装置を提供するステップ、アナログ加算器を提供して該第１感光装置と第２感光装置の出力端を該アナログ加算器の入力端に並列に接続するステップ、アナログデジタル変換器を提供し、アナログ加算器の出力端をアナログデジタル変換器の入力端に接続するステップ、スキャナコントローラを提供し、アナログデジタル変換器の出力端を該スキャナコントローラに接続するステップ、スキャナコントローラよりいずれもがクロック信号と回復信号を具えている第１感光装置駆動信号と第２感光装置駆動信号を第１、第２感光装置に送り、第１感光装置駆動信号により第１感光装置を駆動してそれに画素信号を出力させ、第１感光装置駆動信号の回復信号は第１感光装置の特定時間に出力する画素信号を除去し、第２感光装置駆動信号を第２感光装置を駆動してそれに画素信号を出力させ、第２感光装置駆動信号の回復信号が第２感光装置が特定時間に出力する画素信号を除去し、第１感光装置及び第２感光装置が出力する画素信号を、アナログ加算器、アナログデジタル変換器を通してスキャナコントローラに送る。
【課題を解決するための手段】
【００１０】
請求項１の発明は、画像信号合成モジュールにおいて、該画像信号合成モジュールは両面走査の画像信号の合成に用いられ、
第１感光装置及び第２感光装置と、
アナログ加算器であり、該第１感光装置と該第２感光装置の出力端が該アナログ加算器の入力端に並列に接続された、上記アナログ加算器と、
アナログデジタル変換器であり、該アナログ加算器の出力端が該アナログデジタル変換器の入力端に接続された、上記アナログデジタル変換器と、
スキャナコントローラであり、該アナログデジタル変換器の出力端が該スキャナコントローラに接続された、上記スキャナコントローラと、
を具え、走査文献の両側の画像信号がそれぞれ第１感光装置と第２感光装置により獲得され、その後、アナログ加算器、アナログデジタル変換器を通してスキャナコントローラに送られることを特徴とする、画像信号合成モジュールとしている。
請求項２の発明は、請求項１記載の画像信号合成モジュールにおいて、第１感光装置とアナログ加算器の間に第１抵抗が直列に接続され、第２感光装置とアナログ加算器の間に第２抵抗が直列に接続されたことを特徴とする、画像信号合成モジュールとしている。
請求項３の発明は、請求項１記載の画像信号合成モジュールにおいて、アナログ加算器が演算増幅器とされたことを特徴とする、画像信号合成モジュールとしている。
請求項４の発明は、請求項１記載の画像信号合成モジュールにおいて、アナログ加算器が信号合成抵抗とされたことを特徴とする、画像信号合成モジュールとしている。
請求項５の発明は、画像信号合成方法において、該画像信号合成方法は両面走査の画像信号を合成するのに用いられる方法であり、
第１感光装置と第２感光装置を提供するステップ、
アナログ加算器を提供して該第１感光装置と第２感光装置の出力端を該アナログ加算器の入力端に並列に接続するステップ、
アナログデジタル変換器を提供し、アナログ加算器の出力端をアナログデジタル変換器の入力端に接続するステップ、
スキャナコントローラを提供し、アナログデジタル変換器の出力端を該スキャナコントローラに接続するステップ、
スキャナコントローラより第１感光装置駆動信号を第１感光装置に送り、第２感光装置駆動信号を第２感光装置に送って第１感光装置と第２感光装置を駆動して第１感光装置と第２感光装置に交替して各自が獲得した画素信号を出力させ、並びにアナログ加算器、アナログデジタル変換器を通してスキャナコントローラに送るステップ、
を具えたことを特徴とする、画像信号合成方法としている。
請求項６の発明は、請求項５記載の画像信号合成方法において、第１感光装置駆動信号と第２感光装置駆動信号はいずれも第１クロック信号と第２クロック信号を具え、第１感光装置駆動信号の第１クロック信号と第２感光装置駆動信号の第１クロック信号のデューティ−サイクルは一つの伝送サイクルがずれており、第１感光装置駆動信号の第２クロック信号と第２感光装置駆動信号の第２クロック信号のデューティ−サイクルは一つの伝送サイクルがずれていることを特徴とする、画像信号合成方法としている。
請求項７の発明は、請求項５記載の画像信号合成方法において、第１感光装置駆動信号と第２感光装置駆動信号はいずれもクロック信号を包含し、第１感光装置がその獲得した全ての画素信号を出力する時、第２感光装置駆動信号のクロック信号は一定電位を保持し、その後、第２感光装置がその獲得した全ての画素信号を出力するとき、第１感光装置駆動信号のクロック信号は一定電位を保持することを特徴とする、画像信号合成方法としている。
請求項８の発明は、画像信号合成方法において、該画像信号合成方法は両面走査の画像信号を合成するのに用いられる方法であり、
第１感光装置と第２感光装置を提供するステップ、
アナログ加算器を提供して該第１感光装置と第２感光装置の出力端を該アナログ加算器の入力端に並列に接続するステップ、
アナログデジタル変換器を提供し、アナログ加算器の出力端をアナログデジタル変換器の入力端に接続するステップ、
スキャナコントローラを提供し、アナログデジタル変換器の出力端を該スキャナコントローラに接続するステップ、
スキャナコントローラより第１感光装置駆動信号を第１感光装置に送り、第２感光装置駆動信号を第２感光装置に送り、該第１感光装置駆動信号と第２感光装置駆動信号はいずれもがクロック信号と回復信号を具え、第１感光装置駆動信号の回復信号により第１感光装置駆動信号が第１感光装置を駆動して獲得される画素信号より第１感光装置が特定時間に出力する画素信号を除去し、第２感光装置駆動信号の回復信号により第２感光装置駆動信号が第２感光装置を駆動して獲得される画素信号より第２感光装置が特定時間に出力する画素信号を除去した後、第１感光装置と第２感光装置が出力した画素信号をアナログ加算器、アナログデジタル変換器を通してスキャナコントローラに送るステップ、
を具えたことを特徴とする、画像信号合成方法としている。
請求項９の発明は、請求項８記載の画像信号合成方法において、第１感光装置駆動信号の回復信号により第１感光装置が偶数サイクル時間に出力する画素信号を除去し、第２感光装置駆動信号の回復信号により第２感光装置が奇数サイクル時間に出力する画素信号を除去することを特徴とする、画像信号合成方法としている。
【発明の効果】
【００１１】
本発明の画像信号合成モジュール及び方法は、感光装置に対する制御により、第１感光装置と第２感光装置にクロックサイクル内にあって交替して画像信号を出力させ、並びにアナログ加算器により二つの感光装置が出力する信号を合成し、現在の片面スキャナ構造を直接両面スキャナにグレードアップして高価で複雑な専用スキャナを不要とする。
【発明を実施するための最良の形態】
【００１２】
図１は本発明の画像信号合成モジュールを示し、それは、第１感光装置、第２感光装置、アナログ加算器、アナログデジタル変換器及びスキャナコントローラを具え、スキャナが文献の両側を走査する時、第１感光装置及び第２感光装置が駆動回路の発生する駆動信号の制御の下で、それぞれ文献両側の画像信号を獲得し、その後、アナログ加算器に出力して合成し、合成後のアナログ画像信号をアナログデジタル変換器でデジタル画像信号に変換した後に、スキャナコントローラに送り更なる処理を行なう。
【００１３】
図２は本発明の画像信号合成モジュールの好ましい実施例の電気回路原理図である。この実施例において、第１感光装置１１及び第２感光装置１３により文献両側の画像信号を獲得する。該第１感光装置１１と第２感光装置１３の出力端は演算増幅器３２の入力端に接続され、該第１感光装置１１と演算増幅器３２の間に第１抵抗２１が直列に接続され、第２感光装置１３と演算増幅器３２の間に第２抵抗２３が直列に接続され、演算増幅器３２の出力端はアナログデジタル変換器３３の入力端に接続され、アナログデジタル変換器３３の出力端はスキャナコントローラ３５に接続されている。これにより、第１感光装置１１と第２感光装置１３がそれぞれ出力する画像信号は演算増幅器３２により合成された後、更にアナログデジタル変換器３３でデジタル画像信号に変換され、最後にスキャナコントローラ３５に送られ更に処理される。
【００１４】
図３は本発明の画像信号合成モジュールの別の実施例の電気回路原理図である。第１感光装置１１と第２感光装置１３の出力端は信号合成抵抗３１の一端に並列に接続され、第１感光装置１１と信号合成抵抗３１の間に第１抵抗２１が直列に接続され、第２感光装置１３と信号合成抵抗３１の間に第２抵抗２３が直列に接続され、信号合成抵抗３１の別端がアナログデジタル変換器３３の入力端に接続され、アナログデジタル変換器３３の出力端がスキャナコントローラ３５に接続されている。これにより、第１感光装置１１と第２感光装置１３がそれぞれ出力する画像信号は信号合成抵抗３１で合成された後、更にアナログデジタル変換器３３でデジタル画像信号に変換され、最後にスキャナコントローラ３５に送られ更に処理される。
【００１５】
図４及び図５を参照されたい。本発明の画像信号合成モジュール及び方法が採用する感光装置の駆動方法は以下のステップを包含する。一組の第１感光装置駆動信号４１を第１感光装置１１に送る。該第１感光装置駆動信号４１はクロック信号及び制御信号を包含し、クロック信号は周波数が同じ第１クロック信号ＰＨｉ１−Ｉと第２クロック信号ＰＨｉ２−Ｉを包含し、制御信号は回復信号ＲＳ−Ｉ及びクランプ信号ＣＰ−Ｉを包含し、第１感光装置１１に画像信号ＯＳ−Ｉを出力させる。そのうち、第１クロック信号ＰＨｉ１−Ｉと第２クロック信号ＰＨｉ２−Ｉは制御信号出力に用いられ、クロック信号の電位が反転する時、感光装置は一つの画素信号を出力する。回復信号は画素信号を除去するのに用いられ、回復信号の電位が反転する時、そのサイクルの画素信号が除去される。及び、一組の第２感光装置駆動信号４３を第２感光装置１３に送り、それに画像信号ＯＳ−ＩＩを出力させる。該第２感光装置駆動信号４３は第１クロック信号ＰＨｉ１−ＩＩと第２クロック信号ＰＨｉ２−ＩＩ、回復信号ＲＳ−ＩＩ及びクランプ信号ＣＰ−ＩＩを包含する。第１感光装置１１は第１感光装置駆動信号４１の制御下でＴ０−Ｔ１及びＴ２−Ｔ４等奇数サイクル時間に奇数点画素の画像信号１−Ｉ及び３−Ｉを出力し、第１感光装置１１の出力する偶数点画素の画像信号２−Ｉ及び４−Ｉは回復信号ＲＳ−Ｉに除去される。第２感光装置１３は第２感光装置駆動信号４３の制御下でＴ１−Ｔ２及びＴ３−Ｔ４等偶数サイクル時間に偶数点画素の画像信号２−ＩＩ及び４−ＩＩを出力し、第２感光装置１３の出力する奇数点画素の画像信号１−ＩＩ及び３−ＩＩは回復信号ＲＳ−ＩＩに除去される。
【００１６】
第１感光装置１１及び第２感光装置１３が異なる時間に出力する画像信号ＯＳ−Ｉ及びＯＳ−ＩＩは演算増幅器３２或いは信号合成抵抗３１により合成され、図６に示される合成信号を出力する。
【００１７】
本駆動方法の制御下で、第１感光装置１１及び第２感光装置１３は交替するクロックサイクルにあって各自が獲得した画像信号を出力し、各感光装置については、第１感光装置１１が奇数サイクル時間にそれが獲得した画素信号を出力し、第２感光装置１３が偶数サイクル時間にそれが獲得した画素信号を出力するか、或いは第１感光装置１１が偶数サイクル時間にそれが獲得した画素信号を出力し、第２感光装置１３が奇数サイクル時間にそれが獲得した画素信号を出力する。更に演算増幅器３２或いは信号合成抵抗３１による合成、及びアナログデジタル変換器３３による変換の後、最後にスキャナコントローラ３５に送られ、出力される。このような画像信号はユーザーの要求を満足させることができ、また普通のスキャナコントローラにより処理可能であり、これにより製造コストを下げることができる。
【００１８】
図７及び図８を参照されたい。本発明の画像信号合成モジュール及び方法に採用されている感光装置の別の駆動方法は以下を包含する。第１感光装置駆動信号４１’を第１感光装置１１に送り、第２感光装置駆動信号４３’を第２感光装置１３に送り、第１感光装置１１に画像信号ＯＳ−Ｉを出力させ、第２感光装置１３に画像信号ＯＳ−ＩＩを出力させる。そのうち、第１感光装置駆動信号４１’の第１クロック信号ＰＨｉ１−Ｉと第２感光装置駆動信号４３’の第１クロック信号ＰＨｉ１−ＩＩのデューティーサイクル（Ｄｕｔｙ  Ｃｙｃｌｅ）は一つの伝送サイクルＴがずれ、第１感光装置駆動信号４１’の第２クロック信号ＰＨｉ２−Ｉと第２感光装置駆動信号４３’の第２クロック信号ＰＨｉ２−ＩＩのデューティ−サイクルは一つの伝送サイクルＴがずれている。
【００１９】
上述の駆動方法の制御の下で、第１感光装置１１がＴ０−Ｔ１、Ｔ２−Ｔ３、Ｔ４−Ｔ５等奇数サイクル内に画素１−Ｉ、２−Ｉ、３−Ｉ等の画像信号を出力し、第２感光装置１３が、Ｔ１−Ｔ２、Ｔ３−Ｔ４、Ｔ５−Ｔ６等偶数サイクル内に画素１−ＩＩ、２−ＩＩ、３−ＩＩ等の画像信号を出力するか、或いは、第１感光装置１１がＴ１−Ｔ２、Ｔ３−Ｔ４、Ｔ５−Ｔ６等偶数サイクル内に画素１−Ｉ、２−Ｉ、３−Ｉ等の画像信号を出力し、第２感光装置１３がＴ０−Ｔ１、Ｔ２−Ｔ３、Ｔ４−Ｔ５等奇数サイクル内に画素１−ＩＩ、２−ＩＩ、３−ＩＩ等の画像信号を出力する。
【００２０】
第１感光装置１１及び第２感光装置１３がそれぞれ出力する画像信号ＯＳ−Ｉ及びＯＳ−ＩＩは演算増幅器３２或いは信号合成抵抗３１により合成され、図９に示される合成信号が出力される。更にアナログデジタル変換器３３により変換され、最後にスキャナコントローラ３５に送られ出力される。このような合成信号は普通のスキャナコントローラにより処理、出力できる。
【００２１】
図４及び図５に示される駆動方法に較べると、この駆動方法はクロック信号ＰＨｉ１−Ｉ、ＰＨｉ２−Ｉ、ＰＨｉ１−ＩＩ、ＰＨｉ２−ＩＩのデューティ−サイクルを改変することにより出力信号時間点を改変し、出力画素を減らさず、これにより更に高い画像解析度を獲得できる。
【００２２】
図１０及び図１１を参照されたい。本発明の画像信号合成モジュール及び方法が採用する感光装置の更に別の駆動方法は以下を包含する。第１感光装置駆動信号４１”を第１感光装置１１に送り、第２感光装置駆動信号４３”を第２感光装置１３に送り、第１感光装置１１に画像信号ＯＳ−Ｉを出力させ、第２感光装置１３に画像信号ＯＳ−ＩＩを出力させる。図示されるように、Ｔ０−Ｔ５のサイクル内にあって、第１感光装置駆動信号４１”が第１感光装置１１を駆動してその出力する全ての画素の画像信号が獲得され、この時、第２感光装置駆動信号４３”のクロック信号ＰＨｉ１−ＩＩとＰＨｉ２−ＩＩは一定電位を保持する。簡単に図示できるように、図１０と図１１では感光装置がそれぞれ５個の画素のみを出力するものとされている。
【００２３】
第１感光装置１１と第２感光装置１３がそれぞれ出力する画像信号ＯＳ−ＩとＯＳ−ＩＩは演算増幅器３２或いは信号合成抵抗３１により合成され、図１２に示される合成信号が出力される。更にアナログデジタル変換器３３により変換され、最後にスキャナコントローラ３５に送られ出力される。このような合成信号は普通のスキャナコントローラにより処理、出力でき、且つ伝送中に発生可能な干渉を減らすことができる。
【００２４】
図４及び図５に示される駆動方法に較べると、この駆動方法は出力画素を減らさず、これにより更に高い画像解析度を獲得できる。
【００２５】
以上の実施例は東芝社のＴＣＤ２９０５ＣＦ型ＣＣＤ及び対応する駆動信号を採用して実現可能であるが、その他の型番の画像センス装置及び駆動信号を使用して設計することもできる。
【００２６】
以上の実施例は本発明の範囲を限定するものではなく、本発明に基づきなしうる細部の修飾或いは改変は、いずれも本発明の請求範囲に属する。
【図面の簡単な説明】
【００２７】
【図１】本発明の画像信号合成モジュール及び方法に採用されている技術表示図である。
【図２】本発明の画像信号合成モジュール及び方法の実施例の電気回路図である。
【図３】本発明の画像信号合成モジュール及び方法の別の実施例の電気回路図である。
【図４】本発明の画像信号合成モジュール及び方法の駆動方法表示図である。
【図５】本発明の画像信号合成モジュール及び方法の駆動方法表示図である。
【図６】本発明の画像信号合成モジュール及び方法の合成信号波形図である。
【図７】本発明の画像信号合成モジュール及び方法の別の駆動方法表示図である。
【図８】本発明の画像信号合成モジュール及び方法の別の駆動方法表示図である。
【図９】本発明の画像信号合成モジュール及び方法の別の駆動方法の合成信号波形図である。
【図１０】本発明の画像信号合成モジュール及び方法の更に別の駆動方法表示図である。
【図１１】本発明の画像信号合成モジュール及び方法の更に別の駆動方法表示図である。
【図１２】本発明の画像信号合成モジュール及び方法の更に別の駆動方法の合成信号波形図である。
【図１３】周知の両面スキャナの作業原理図である。
【図１４】周知の感光装置の駆動方法表示図である。
【符号の説明】
【００２８】
１１  第１感光装置                  １３  第２感光装置
２１  第１抵抗                      ２３  第２抵抗
３１  信号合成抵抗                  ３２  演算増幅器
３３  アナログデジタル変換器        ３５  スキャナコントローラ
４１、４１’、４１”  第１感光装置駆動信号
４３、４３’、４３”  第２感光装置駆動信号
【図１】
2006217154.tif 000003
【図２】
2006217154.tif 000004
【図３】
2006217154.tif 000005
【図４】
2006217154.tif 000006
【図５】
2006217154.tif 000007
【図６】
2006217154.tif 000008
【図７】
2006217154.tif 000009
【図８】
2006217154.tif 000010
【図９】
2006217154.tif 000011
【図１０】
2006217154.tif 000012
【図１１】
2006217154.tif 000013
【図１２】
2006217154.tif 000014
【図１３】
2006217154.tif 000015
【図１４】
2006217154.tif 000016